【事件の表示】
　平成１１年特許願第１６１９４４号「車両用室内灯」拒絶査定不服審判事件〔平成１２年１２月１２日出願公開、特開２０００−３４４０１０号〕について、次のとおり審決する。
【結　論】
　本件審判の請求は、成り立たない。
【理　由】
１．手続の経緯・本願発明
　本願は、平成１１年６月９日の出願であって、その特許請求の範囲の請求項１に係る発明（以下、「本願発明」という。）は、平成１９年１月２９日付けの手続補正によって補正された明細書の特許請求の範囲の請求項１に記載された事項により特定される次のとおりのものである。
「筐体内に収容された一対のランプと、
　前記筐体に取付けられ前記ランプの点滅を個別に制御するためのプッシュスイッチと、
　前記筐体の開口部全面が覆われる大きさに形成されると共に前記筐体の開口部における中央部分において各々揺動自在に軸支され、かつ、軸支側とは反対側で前記プッシュスイッチの操作摘みに当接する一対のレンズ板と、
　前記プッシュスイッチのバネ力に抗して前記レンズ板を前記筐体に係止するための係止部と、
　から構成し、レンズ板を押下することによりプッシュスイッチのオン・オフが行われるようにしたことを特徴とする車両用室内灯。」
　
２．引用刊行物
　当審における拒絶の理由に引用された本願出願前に頒布された刊行物である実願昭５７−５３５５３号（実開昭５８−１５７７４１号）のマイクロフィルム（以下、「引用例１」という。）には、図面と共に次の事項が記載されている。
（ア）「この考案はルームランプに係り、更に詳述すれば、ランプの切替えをプツシユスイツチで切替え得るようにしたルームランプに関するものである。」（明細書第２頁第１〜４行）
（イ）「灯体ケース１はケース主体部１１がプラスチツクで形成され、・・・（中略）・・・側板部１７端には外側に張出するように断面Ｕ字状の鍔１７１と灯体ケースの開口端部には棚部１７２と、この棚部の灯体ケースの長手方向の両端には後述する灯蓋が係合する係合孔１７３ａ，１７３ｂが形成されている。」（明細書第３頁第１７行〜第４頁第１４行）
（ウ）「押釦６はプラスチツクで作られ、一端中央にねじれ軸取付用のスリツト６２と中心径が弾性部材５の直径に等しい環状溝６３を他端を球面部６４とした釦主体部６１と、この釦主体部の一端より端部に段部６６ａ，６６ｂを形成し、該段部が第５図に示すように灯体ケースの側板部１７に突出させた係止突起１７４ａ，１７４ｂと灯体ケース１内で係合する案内ベース６５ａ，６５ｂを形成せしめたものである。
　灯蓋７はプラスチツクで作られ、灯体ケースの側板部１７内に嵌入する大きさの縁部７２を有する蓋体７１の長手方向の端部の縁に鍔１７１に係止する鉤部７３と突起７４が設けられている。
　これらは第２図乃至第５図に示すようにランプ保持片１４ａ，１４ｂ間にランプ８を取付け、押釦６のスリツト６２にねじれ軸４を、環状溝６３に弾性部材（圧縮コイルバネ）５を取付ける。」（明細書第５頁第１４行〜第６頁第１０行）
（エ）「第３図に示すように灯蓋７に外力が付勢されていない場合には弾性部材５の弾力で押釦６の案内ベース６５ａ，６５ｂの段部６６ａ，６６ｂが係止突起１７４ａ，１７４ｂに対接するまで上方に押上げられ、その球面部６４が灯蓋７をその突起７４が鍔１７１に当接する位置まで押上げた状態にある。
　この状態より、灯蓋７の矢印Ａ部を灯体ケース１側突起７４が棚部１７２に当接するまで押すと、前記灯蓋は鉤部７３と鍔１７１との係合部を支点とし時計方向に傾動し、弾性部材５の弾力に抗して押釦６を押し下げる。
　押釦６が押し下げられると・・・（中略）・・・開成状態であつた固定接片１３ａと可動接片１５が弾片１８で押されて閉成し、逆に閉成状態であつた固定接片１３ｂと可動接片１５が閉成する。・・・（中略）・・・灯蓋７を押した手をはなすと、灯蓋７は弾性部材５の弾力で、第３図に示す押下げ前の状態に戻るが、・・・（中略）・・・可動および固定接片の関係は変らない。
　灯蓋７を次に押すと・・・（中略）・・・固定接片１３ａと可動接片１５が閉成し、固定接片１３ｂと可動接片１５が開成する。」（明細書第７頁第４行〜第８頁第１８行）
（オ）「以上述べたようにこの考案は底板部に軸と可動接片と、該可動接片の可動範囲に固定接片を設けると共に、前記可動接片と一方の保持片が接続されたランプ保持片を取付けた灯体ケースと、・・・（中略）・・・前記灯体ケースの開口部を覆う灯蓋とで構成されているので、灯蓋を押すことにより、すなわち押すと云う単一動作でランプの点滅が出来、操作性がよく、しかもスイツチノブの如きものが灯体から突出していないので体裁がよく、子供のいたずらによるスイツチ部分の故障も生じにくい等の効果を有する。」（明細書第９頁第３行〜第１０頁第４行）
（カ）第３図には、灯体ケース１内にランプ８が収容されることが図示されている。
（キ）上記記載事項（ア）、（エ）、（オ）から、押釦６、弾性部材５等からなるスイツチがプツシユスイツチであることが明らかであり、また、第３図には押釦６、弾性部材５等からなるスイツチが灯体ケース１に取付られていることが図示されている。
（ク）上記記載事項（エ）を参酌すると、第３図には、灯蓋と押釦６が灯蓋の傾動の支点となる係合部側とは反対側で当接していることが図示されているといえる。
　
　上記記載事項、上記図示事項および上記記載事項から明らかな事項を総合すると、引用例１には、
「灯体ケース１内に収容されたランプ８と、前記灯体ケース１に取付けられ前記ランプ８の点滅を切替えるプツシユスイツチと、前記灯体ケース１の開口部を覆うと共に灯体ケース１の鍔と係合する鉤部を有し、該鍔と鉤部との係合部を支点として傾動し、かつ、係合部側とは反対側で前記プツシユスイツチの押釦６に当接する灯蓋と、
　前記プツシユスイツチの弾性部材５の弾力で灯蓋を押し上げて灯体ケース１の鍔と当接する突起と、から構成し、灯蓋を押すことによりプツシユスイツチを切替えるルームランプ。」
の発明（以下、「引用発明」という。）が記載されていると認める。
　
３．対比
　そこで、本願発明と引用発明とを対比すると、
　後者の「灯体ケース１」が、その機能・構造等からみて前者の「筐体」に相当し、以下同様に、「切替える」が「制御する」に、「プツシユスイツチ」が「プッシュスイッチ」に、「灯体ケース１の開口部を覆う」が「筐体の開口部全面が覆われる大きさに形成される」に、「鍔と鉤部との係合部を支点として傾動し」が「揺動自在に軸支され」に、「係合部側」が「軸支側」に、「押釦６」が「操作摘み」に、「灯蓋」が「レンズ板」に、「弾性部材５の弾力で灯蓋を押し上げて灯体ケース１の鍔と当接する突起」が「バネ力に抗して前記レンズ板を前記筐体に係止するための係止部」に、「押す」が「押下する」に、「プツシユスイツチを切替える」が「プッシュスイッチのオン・オフが行われるようにした」に、「ルームランプ」が「車両用室内灯」に、それぞれ相当している。
　
　したがって、両者は、
「筐体内に収容されたランプと、
　前記筐体に取付けられ前記ランプの点滅を制御するためのプッシュスイッチと、
　前記筐体の開口部全面が覆われる大きさに形成されると共に揺動自在に軸支され、かつ、軸支側とは反対側で前記プッシュスイッチの操作摘みに当接するレンズ板と、
　前記プッシュスイッチのバネ力に抗して前記レンズ板を前記筐体に係止するための係止部と、
　から構成し、レンズ板を押下することによりプッシュスイッチのオン・オフが行われるようにした車両用室内灯。」
の点で一致し、以下の点で相違している。
　
　相違点：前者では、筐体内に収容されたランプは一対であり、プッシュスイッチによるランプの点滅の制御は個別に行うことができ、筐体の開口部を覆うレンズ板も一対のレンズ板からなり、一対のレンズ板は筐体の開口部における中央部分において各々揺動自在に軸支されているのに対して、後者では、筐体内に収容されたランプや筐体の開口部を覆うレンズ板が一つであり、レンズ板の軸支も筐体開口部における中央部分ではない点。
　
４．当審の判断
　そこで、上記相違点について検討する。
　車両用室内灯において、筐体内に収容するランプを一対とし、ランプの点滅の制御をプッシュスイッチにより個別に行うことは、例えば特開平１０−２８３８０３号公報、実願昭５８−１４４３３５号（実開昭６０−５１１４８号）のマイクロフィルムにも記載されているように周知技術であり、引用発明の車両用室内灯に該周知技術を適用して筐体内に収容するランプを一対とし、ランプの点滅の制御をプッシュスイッチにより個別に行うようにすることは当業者であれば容易に想到し得ることである。そして、ランプの点滅の制御を個別に行うのであるから、プッシュスイッチのオン・オフを行う揺動自在なレンズ板を一対とすることは当然のことである。また、筐体の開口部を覆うレンズ板を一対とした場合、軸支部は、筐体の開口部における中央部分か周縁部分の何れかとなることは明らかなことであり、軸支部の配置を決定する際にレンズ板の操作性等を考慮することは当然のことであるから、一対のレンズ板の軸支部を筐体の開口部における中央部分において各々揺動自在とした点は当業者であれば適宜なし得る設計的事項にすぎない。
　
　また、本願発明の効果も、引用発明、周知技術に基づいて当業者が予測し得る範囲内のものである。
　
５．むすび
　したがって、本願発明は、引用発明、周知技術に基いて当業者が容易に発明をすることができたものであるので、特許法第２９条第２項の規定により特許を受けることができない。
　よって、結論のとおり審決する。